(57)【要約】  【課題】  ラベル発行部と貼付部が相対的に開閉可能に取り付けられたラベル貼付装置において、ラベル発行部と貼付部を簡単な構造でしっかりと連結固定することができるラベル貼付装置を提供する。  【解決手段】  ラベルロールを収容したラベル発行部Ａ１と、該ラベル発行部から発行されたラベルを商品に貼付する貼付部Ａ２とが隣接して配置され、そのラベル発行部と貼付部とが相対的に開閉可能なラベル貼付装置であって、前記ラベル発行部Ａ１或いは貼付部Ａ２の一方にストライカ１０を設け、他方には前記ストライカを係合保持或いは解放する回動自在なラッチ１１及び掛止め板１２を設け、且つ前記ラッチを配置した部材の外側には前記ストライカとラッチの係合を解放操作する操作部１３を配置し、その操作部１３と前記掛止め板１２を連結部材１４で連結した。  【選択図】      図２
2007230639.tif 000002
【特許請求の範囲】
【請求項１】
ラベル用紙が台紙に剥離可能に貼付されたラベルロールを用い、ラベル用紙に所定事項を印字して発行するラベル発行部と、該ラベル発行部から発行されたラベルを商品に貼付する貼付部とが隣接して配置され、そのラベル発行部と貼付部とが相対的に開閉可能なラベル貼付装置であって、
前記ラベル発行部或いは貼付部の一方にストライカを設け、他方には前記ストライカを係合保持或いは解放する回動自在なラッチを設け、前記ラッチは該ラッチがストライカを係合保持する位置で維持されるための係止部を有し、更に前記ラッチの周囲には、前記係止部と係脱する掛止め板を回動可能に取り付けると共に、該掛止め板と前記ラッチとの係合状態を維持する方向に付勢する付勢手段を配置し、且つ前記ラッチを配置した部材の外側には前記ストライカとラッチの係合を解放操作する操作部を配置し、その操作部と前記掛止め板を連結部材で連結したことを特徴とするラベル貼付装置。
【請求項２】
前記貼付部が、前記ラベル発行部の幅方向一側に位置する鉛直方向の支軸で回動自在に支持され、前記ストライカとラッチとの掛止め手段が前記支軸の鉛直方向の高さの略中央位置に配置され、前記操作部がラッチを備えたラベル発行部又は貼付部の下部に配置されていることを特徴とする請求項１記載のラベル貼付装置。
【請求項３】
前記ラッチの係止部は、該ラッチと係合するストライカの解放を可能にする方向への回転を規制する段部で、前記掛止め板の掛止め段部と当接することで係合保持することを特徴とする請求項１又は２記載のラベル貼付装置。
【請求項４】
前記掛止め板は、前記ラッチの回転軸と直交する平面の一部と重合する押え片を有することを特徴とする請求項１乃至３の何れか１項記載のラベル貼付装置。
【請求項５】
前記付勢手段が引張りバネである請求項１記載のラベル貼付装置。
【請求項６】
前記操作部が、前記ラッチを備えたラベル発行部の前面下部に配置されていることを特徴とする請求項２記載のラベル貼付装置。
【発明の詳細な説明】
【技術分野】
【０００１】
本発明はラベル貼付装置に係り、更に詳しくはラベルロールが収納され、そのラベルロールのラベル用紙に印字してラベルを発行するラベル発行部と、ラベル発行部から発行されたラベルを商品に貼付する貼付部とが隣接して配置され、一方が他方に対して開閉可能に取り付けられたラベル貼付装置に関する。
【背景技術】
【０００２】
従来、ラベルロールが収納され、そのラベルロールのラベル用紙に印字（印字済みラベル用紙の場合は印字不要）してラベルを発行するラベル発行部と、ラベル発行部から発行されたラベルを商品に貼付する貼付部とが隣接して配置され、且つ貼付部がラベル発行部に対して開閉回動可能に取り付けられたラベル貼付装置が提案されている（例えば、特許文献１参照）。
上記貼付部が開閉回動可能に取り付けられている理由は、貼付部及びラベル発行部のサーマルヘッド等のメンテナンス性を高めるためである。
【０００３】
ところで、ラベル発行部に対する貼付部の取り付けは、貼付部の一側をラベル発行部に蝶番を介して回動可能に取り付け、且つ貼付部を閉鎖した状態に保持する手段としてはバネ部材等の一般締結部材（例えば、市販のパッチン錠等）が用いられている。
そして、一般の締結部材は可動する引っ掛け部を固定のフック部に引っ掛けてバネ部材により固定しているので、貼付部が閉まった状態でも、前記可動する引っ掛け部と固定のフック部との間にガタツキが生じたり、或いは引っ掛け部、フック部それぞれの位置が微調整できるようになっているので、その位置調整が正しく行われていない場合は、ラベル発行部で発行されたラベルを貼付部へ正しく受け渡すことができず、結果的にラベル貼付不良が発生するという問題があった。
【０００４】
又、前記締結部材の取り付け位置が、ラベル発行部に対して貼付部を回動して閉鎖した時、両者が接合する下面である場合は、貼付部を回動可能に支持する支軸の位置に対して偏った位置であるため、上記した閉じ具合にバラツキが出て、前記締結部材の操作がしにくいといった問題を有する。
尚、市販のロック機構を使用することも可能であるが、その場合は機構が複雑な上、そのロック機構の取り付けスペースに自由度がなく、開いている空間に無理矢理取り付けるといった問題が生じる。
【０００５】
【特許文献１】特開平１０−２３０９１７号公報
【発明の開示】
【発明が解決しようとする課題】
【０００６】
本発明は上記した従来の技術が有する問題点に鑑みてなされたもので、その目的とするところは、ラベル発行部と貼付部が相対的に開閉可能に取り付けられたラベル貼付装置において、ラベル発行部と貼付部を簡単な構造でしっかりと連結固定することができるラベル貼付装置を提供することにある。
【課題を解決するための手段】
【０００７】
上記目的を達成するために本発明が講じた技術的手段は、ラベル用紙が台紙に剥離可能に貼付されたラベルロールを用い、ラベル用紙に所定事項を印字して発行するラベル発行部と、該ラベル発行部から発行されたラベルを商品に貼付する貼付部とが隣接して配置され、そのラベル発行部と貼付部とが相対的に開閉可能なラベル貼付装置であって、前記ラベル発行部或いは貼付部の一方にストライカを設け、他方には前記ストライカを係合保持或いは解放する回動自在なラッチを設け、前記ラッチは該ラッチがストライカを係合保持する位置で維持されるための係止部を有し、更に前記ラッチの周囲には、前記係止部と係脱する掛止め板を回動可能に取り付けると共に、該掛止め板と前記ラッチとの係合状態を維持する方向に付勢する付勢手段を配置し、且つ前記ラッチを配置した部材の外側には前記ストライカとラッチの係合を解放操作する操作部を配置し、その操作部と前記掛止め板を連結部材で連結したことを特徴とする（請求項１）。
【０００８】
掛止め手段を構成するストライカとラッチの取り付けは、固定部材側にラッチを取り付け、その固定部材に対して回動する可動部材側にストライカを取り付けるか、或いはその逆に取り付けるなど何れでもよい。
【０００９】
上記手段によれば、回転部材のラッチによってストライカとスムーズに係合し、ロック状態が確立されると共に、その係合状態はラッチと掛止め板の係合及び付勢手段によって維持され、ガタツキのないしっかりした連結固定を確立できる。しかも、ラッチ、ストライカ及び掛止め板からなるロック機構は市販のロック機構等に比べ、構造簡単でコンパクトであるため、ラベル発行部或いは貼付部の何れに組み付けるにしても規制を受けることなく取り付けることができる。
【００１０】
そして、前記ラベル発行部と貼付部の取り付けの具体例として、例えば、前記貼付部を、前記ラベル発行部の幅方向一側に位置する鉛直方向の支軸で回動自在に支持し、前記ストライカとラッチとの掛止め手段を前記支軸の鉛直方向の高さの略中央位置に配置し、前記操作部はラッチを備えたラベル発行部又は貼付部の下部に配置する（請求項２）。
上記手段によれば、ストライカとラッチによる掛止め手段は回動する貼付部の鉛直方向の高さの略中央に位置するため、バランスの取れた位置で固定でき、固定精度を高めることができる。
【００１１】
又、前記ラッチの係止部は、該ラッチと係合するストライカの解放を可能にする方向への回転を規制する段部で、前記掛止め板の掛止め段部と当接することで係合保持されるようにする（請求項３）。
上記手段によれば、ラッチとストライカの係合状態は、該ラッチの段部と掛止め板の掛止め段部が当接して維持されるため、ガタつきを抑え、確実な固定状態を確立できる。
【００１２】
更に、前記掛止め板には、前記ラッチの回転軸と直交する平面の一部と重合する押え片を設ける(請求項４)。
上記手段によれば、ラッチの平面部の一部が掛止め板の押え片で押えられているため、ラッチが支軸に沿って移動するのを防止できる。従って、ラッチの不必要な挙動を抑えることができ、その結果、ラッチとストライカの安定した係合状態を確保できる。
【００１３】
又、前記付勢手段としては引張りバネを使用することができる（請求項５）。その場合は、付勢手段の引っ張りバネによってラッチが回転し、その力が作用する方向に該ラッチの係止部と掛止め板の掛止め段部の当接箇所があるため、掛止め手段をロックする時はラッチと掛止め板がしっかりと固定する方向に付勢手段が作用し、掛止め手段を解放したときは、回転するラッチが引っ張りバネで解放方向に付勢されて解放されるため、確実にロックを解除できる。
【００１４】
更に、前記操作部は、前記ラッチを備えたラベル発行部の前面下部に配置すると好適である(請求項６)。
上記手段によれば、操作部がラベル発行部（装置）の前面に位置しているため、前記掛止め手段の解除操作がし易くなる。
【発明の効果】
【００１５】
本発明のラベル貼付装置は、請求項１記載の構成により、回転部材のラッチによりストライカをスムーズにくわえ込みロックすることができ、固定精度を向上できる。又、ストライカが回転部材のラッチに係止することでロックされる構造であるため、従来のロック機構に比べて簡単な構造で、しかもコンパクトに構成でき、ラベル発行部或いは貼付部の何れに組み付けるにしても規制を受けることなく取り付けることができる。
また、ストライカとラッチの係合を解放操作する操作部と、ストライカとラッチとが係合される係止部とが別の位置に設けられるので、係止部の位置を、操作部の位置とは無関係にしっかりと固定できる位置に配置させることができる。
又、請求項２記載の構成により、回動する貼付部を該貼付部の高さ方向の略中央部でロックできるので、バランスの取れた位置で固定精度を高めることができる。
【００１６】
更に、請求項３記載の構成により、ラッチとストライカの係合状態は、該ラッチの段部と掛止め板の掛止め段部が当接して維持されるため、ガタつきを抑え、確実な固定状態を確立できる。
また、請求項４記載の構成により、ラッチの不必要な挙動を抑えることができ、その結果、ラッチとストライカの安定した係合状態を確保できる。
【００１７】
そして、請求項５記載の構成により、付勢手段の引っ張りバネの力は掛止め手段をロックする時はラッチと掛止め板がしっかりと固定する方向に作用し、掛止め手段を解放したときは、回転するラッチが引っ張りバネで解放方向に付勢されて解放されるため、確実にロックを解除できる。
又、請求項６記載の構成により、前記掛止め手段の解除操作を手軽に行うことができる。
【発明を実施するための最良の形態】
【００１８】
以下、本発明の実施の形態の一例を図面に基づいて説明する。
図１は本発明に係るラベル貼付装置Ａの概略を示し、台紙にラベル用紙が剥離可能に貼付されているラベルロール１が収納され、そのラベルロール１のラベル用紙に印字してラベルを発行するラベル発行部Ａ１と、そのラベル発行部Ａ１から発行されるラベルの発行方向前方（図面ではラベル発行部の右側）に、ラベルを商品に貼付する貼付部Ａ２が隣接して配置されて構成されている。そして、このラベル貼付装置Ａは、ストレッチフィルム等で包装された商品Ｗを搬送する搬送コンベヤ（ベルトコンベヤ）Ｃの側部に配置され、搬送される商品Ｗの上面に貼付部Ａ２によってラベル１’が貼付される。
そして、その貼付部Ａ２は幅方向の一側が前記ラベル発行部Ａ１に対して蝶番５，５’で回動可能に連結され、その蝶番５，５’から幅方向他側に向かって所定寸法離れた位置に、該貼付部Ａ２を前記ラベル発行部Ａ１に対して掛止め／解放を行う掛止め手段Ｂがラベル発行部Ａ１と貼付部Ａ２とに亘って配置されている。
【００１９】
上記ラベル発行部Ａ１は、ケース２内部を隔壁２’で左右二室に区画し、その一方の空間２ａにラベルロール1のセット部、印字ヘッド、プラテンローラ、ディスペンサ、台紙巻取り部３等のラベルプリンタの構成部材が収容配置され、他方の空間２ｂには台紙巻取りロール３を駆動回転するモータ４及びその他の電装部品、電気的制御手段等（図示省略）が収容配置されている。
そして、前記空間２ｂにはラベル発行部Ａ１に対して蝶番５，５’で回動可能に連結される貼付部Ａ２を閉じ状態に保持する掛止め手段Ｂが前記蝶番５と蝶番５’を結ぶ鉛直方向の略中央で且つ隔壁２’近傍の位置に配置されている。
【００２０】
貼付部Ａ２は、前記ラベル発行部Ａ１の側部に蝶番５，５’で回動可能に連結されたケース６と、そのケース６内に収容した流体圧シリンダ等の駆動力によってケース６内を上下する支持部材７と、該支持部材から複数本吊支されたロッド状の押圧部材８と、前記ケース６の底部に配置した保持部材９と、前記ケース６内の空気を吸気して排出する排気装置（図示省略）を備えて構成されている。
それにより、ラベル発行部Ａ１から発行されて繰り出されるラベルは、貼付部Ａ２の保持部材９下面に、排気装置の排気よって生じる吸引作用で水平に吸着保持され、その吸着保持されたラベルは前記押圧部材８の下降で保持部材９の下面から剥離され、商品Ｗの上面に押圧部材８で押し付けられ、ラベルが貼付される。この貼付部Ａ２が前記ラベル発行部Ａ１から発行されたラベルを常に一定の位置で安定して吸着保持するためには、ラベル発行部Ａ１と貼付部Ａ２との位置関係が変化せず、一定であることが必要で、その位置関係を確保するのが貼付部Ａ２を前記ラベル発行部Ａ１に対して掛止め／解放を行う掛止め手段Ｂである。以下、その掛止め手段Ｂの詳細を図面に基づいて説明する。尚、貼付部Ａ２の詳細な構成については特開平１０−２３０９１７号公報を参照のこと。
【００２１】
掛止め手段Ｂは、前記貼付部Ａ２側に固着したストライカ１０と、そのストライカ１０
と対応させて前記ラベル発行部Ａ１側に取り付けたラッチ１１と、該ラッチ１１とストライカ１０の係合状態を保持或いは解放する掛止め板１２と、その掛止め板１２を回動操作する操作部１３と、該操作部１３と前記掛止め板１２を連結する連結部材１４、及び前記ラッチ１１と掛止め板１２とに亘って取り付けた付勢手段１５とで構成され、ラッチ１１と掛止め板１２はラベル発行部Ａ１のケース２内に取り付けた隔壁２’における空間２ｂ側の面に取り付けた台板１６上に支持されている。
【００２２】
上記ストライカ１０は、長方形状の金属平板を正面視略Ｌ字型に屈曲形成し、直角を挟む一片（垂直片）１０ａは貼付部Ａ２にネジ等で固着し、前記一片（垂直片）１０ａの上端から前方に向けて直角に突出する水平片１０ｂにはラッチ１１と係合する掛止め孔１０ｃが開設されている。その掛止め孔１０ｃの形状は平面視略矩形状である。
【００２３】
上記ラッチ１１は、金属製の円板で、その外周面には前記ストライカ１０の掛止め孔１０ｃに嵌着係合する係合爪１１ａと、該係合爪１１ａとストライカ１０の掛止め孔１０ｃが係合した状態を、後述する掛止め板１２との当接で保持する係止部１１ｂと、係合爪１１ａが掛止め孔１０ｃから外れた状態を、前記台板１６に折り曲げ形成したストッパ１６ａと当接して保持する係合段部１１ｃが形成され、更に前記係止部１１ｂと係合段部１１ｃとの略中間位置には付勢手段１５の引っ張りバネの一方端１５ａを引っ掛ける引っ掛け部１１ｄが形成されている。
そして、上記ラッチ１１は台板１６上に起立固着した軸筒１６ｂ上に載置され、ネジ１７で回転可能に取り付けられている。
【００２４】
上記掛止め板１２は、金属平板を打ち抜き加工して正面視略Ｌ字型に形成し、屈曲部より鉛直方向に延びる鉛直片１２ａの上部には前記ラッチ１１の平面部分（表面側面）の一部と重なり合い、ラッチ１１が軸方向手前側に移動するのを防止する押え片１２ｂが突出形成され、その押え片１２ｂより下側には前記ラッチ１１の係止部１１ｂと当接係合する掛止め段部１２ｃが鉛直片１２ａの一部を後方に向け直角に折り曲げて形成され、その掛止め段部１２ｃの先端は更に直角に折り曲げられて鉛直片１２ａと平行となるように形成されている。尚、掛止め段部１２ｃの先端を直角に折り曲げる位置は、前記ラッチ１１の板厚より僅か広い間隔が形成される位置とし、それによりラッチ１１は掛止め板１２の押え片１２ｂ及び水平片１２ｅと掛止め段部１２ｃとで挟まれ、軸方向前後方向への移動が規制されている。
又、上記鉛直片１２ａの上端には付勢手段１５の引っ張りバネの他方端１５ｂを引っ掛ける引っ掛け部１２ｄが前記掛止め段部１２ｃと同様、後方に向け直角に折り曲げて形成され、水平片１２ｅの先端側には、連結部材１４を連結する連結部１２ｆが形成されている。
そして、上記掛止め板１２は鉛直片１２ａと水平片１２ｅとが交差する略屈曲部付近を、台板１６上に起立固着した軸筒１６ｃ上に載置してネジ１８で回動可能に取り付けられている。
【００２５】
上記連結部材１４は、金属平板を帯板状に加工して形成され、その長手方向の一方端には直角に交差する取付片１４ａに操作部１３が取り付けられ、長手方向の他方端は前記掛止め板１２の連結部１２ｆにボルト・ナット１９で連結されている。又、連結部材１４の長さは、貼付部Ａ２の下端より下方に突出する長さとし、操作部１３が貼付部Ａ２の下端より下方のラベル発行部Ａ１の前面に取り付けられている。
上記操作部１３の取付は、取り付けの対象である連結部材１４がラベル発行部Ａ１のケース２内に収容配置されるため、ケース２の面板に上下方向に延びる長孔２０を開設し、その長孔２０に操作部１３の軸部１３ａを貫通させて連結部材１４に連結されている。
又、ラベル発行部Ａ１のケース２の面板には、貼付部Ａ２に固着したストライカ１０がラベル発行部Ａ１の空間２ｂ内に嵌脱する窓孔２１が開設されている。
【００２６】
上記構成により、図１乃至図３に示す貼付部Ａ２が閉じられた状態では、貼付部Ａ２側のストライカ１０が、ラベル発行部Ａ１の窓孔２１を貫通して空間２ｂ内に嵌入し、ストライカ１０の掛止め孔１０ｃにラッチ１１の係合爪１１ａが嵌入係止している。そして、その状態は、ラッチ１１と掛止め板１２とに亘って張設した引っ張りバネ（付勢手段）１５の作用でラッチ１１の係止部１１ｂと掛止め板１２の掛止め段部１２ｃが当接して保持されている。それにより、貼付部Ａ２はラベル発行部Ａ１に対してガタツキ無く連結保持される。
【００２７】
上記の閉じられた貼付部Ａ２を開ける時は、図４（ａ）に示すように、ラベル発行部Ａ１の前面下部に配置された操作部１３を長孔２０に沿って上方に押し上げると、該操作部１３に連結された連結部材１４が鉛直方向に押し上げられ、図４（ｂ）に示すように、該連結部材１４の上端に連結された掛止め板１２の水平片１２ｅを上方に押し上げる。それにより、掛止め板１２はネジ１８を中心として反時計回り方向に回転し、掛止め段部１２ｃはラッチ１１の係止部１１ｂとの当接から外れる。掛止め段部１２ｃとの当接から解除されたラッチ１１は引っ張りバネ（付勢手段）１５の引っ張り力で反時計回り方向に回転され、係合段部１１ｃが台板１６のストッパ１６ａに当たって回転が停止される。このラッチ１１の回転により、係合爪１１ａはストライカ１０の掛止め孔１０ｃから抜け、貼付部Ａ２はラベル発行部Ａ１に対して蝶番５，５‘を軸として回動可能となる。
【００２８】
貼付部Ａ２が開けられた状態では、前記ラッチ１１は引っ張りバネ（付勢手段）１５のバネ作用で係合段部１１ｃが台板１６のストッパ１６ａに当接した状態に保持される。それにより、係合爪１１ａはストライカ１０の進退線上から上方に外れており、係合爪１１ａと向かい合う反対側の面がストライカ１０の進退線上に位置する。従って、貼付部Ａ２を閉じるために回動してストライカ１０をラベル発行部Ａ１の窓孔２１を貫通して空間２ｂ内に嵌入させ押し込むと、引っ張りバネ（付勢手段）１５の引っ張り力に抗して該ストライカ１０の先端がラッチ１１に当接して該ラッチ１１を時計回り方向に回転させ、ラッチ１１の係合爪１１ａがストライカ１０の掛止め孔１０ｃに嵌入し、更にラッチ１１の係止部１１ｂと掛止め板１２の掛止め段部１２ｃが当接して係止状態が確立される。即ち、貼付部Ａ２を閉じ、且つその閉じ状態をロックする操作は、単に貼付部Ａ２を回動して閉じることで完了する。
【００２９】
本発明は上記した実施の形態に限定されるものではなく、発明の要旨を変更しない範囲で変更可能である。
（１）掛止め板と操作部を連結する連結部材の長さは問わない。
（２）掛止め手段Ｂの位置は蝶番５’と蝶番５を結ぶ鉛直方向の略中央でなくとも、上方或いは下方へずれていてもよい。
【図面の簡単な説明】
【００３０】
【図１】本発明に係るラベル貼付装置の実施の一例を示す平面図。
【図２】要部を一部切欠してしめす正面図。
【図３】同要部の拡大断面図。
【図４】掛止め手段を解除する動作を示す説明図で、（ａ）は操作部を押し上げた状態、（ｂ）は掛止め板が回転してラックが回転し、ストライカから外れる状態を示す。
【図５】掛止め手段の構成を示す分解斜視図。
【符号の説明】
【００３１】
Ａ…ラベル貼付装置              Ａ１…ラベル発行部
Ａ２…貼付部                        Ｂ…掛止め手段
１…ラベルロール                １０…ストライカ
１１…ラッチ                    １１ｂ…係止部
１２…掛止め板                  １２ｂ…押え片
１２ｃ…掛止め段部                  １３…操作部
１４…連結部材                    １５…付勢手段
【図１】
2007230639.tif 000003
【図２】
2007230639.tif 000004
【図３】
2007230639.tif 000005
【図４】
2007230639.tif 000006
【図５】
2007230639.tif 000007